(57)【要約】【課題】調理物の調理状態を電子レンジの外部の多数位置で容易で迅速に確認し、ドアの内面に水分が凝結することを効果的に防止して、透視効果を一層向上させた電子レンジを提供する。【解決手段】ドアは調理室の縁帯面と接触するフレームと、フレームの開口部に設けられる透視部材とを有する。透視部材は、前方に曲面に突出し、多数の透視孔が形成された前面板と、多数の透視孔が形成され、前面板の上部を覆う上面板と、前面板の下部を覆う下面板とを含む。調理室の両側壁には、ドアに隣接して吸気孔及び排気孔が設けられ、調理室に流入した空気が透視部材の内面に沿って円滑に流動して排出されるので、透視部材の内面に水分が凝結することを防止する。【選択図】　　　　図２
2004077109.tif 000002
【特許請求の範囲】
【請求項１】
調理物を調理するための加熱部と、
開口部を有する調理室と、
前記調理室の開口部を選択的に開閉するドアとを含み、
前記ドアは、前記ドアの外側縁部を形成し、前記開口部の縁部と接触するように構成されるフレームと、前記調理室の内部が外部の多数位置で透視できるようにするため、前記調理室の開口部に対応して前記調理室の前方に内部空間を形成するように前方に突出した透視部材とを含むことを特徴とする電子レンジ。
【請求項２】
前記透視部材は、前記調理室から突出した半円筒形の前面板と、前記調理室の前方に形成された内部空間の上部及び下部を覆う半円形の上面板及び下面板とを含み、前記上面板及び下面板は、前記調理室の内部が透視できるように多数の透視孔を含むことを特徴とする請求項１記載の電子レンジ。
【請求項３】
前記電子レンジは、前記調理室の内部が前記透視部材を通して電子レンジの外部と連通することを防止するため、前記透視部材の前面に付着される透明板をさらに含むことを特徴とする請求項１記載の電子レンジ。
【請求項４】
前記電子レンジは、前記調理室内に空気を受けるための吸気孔と、前記調理室から空気をレンジの外部へ排出させるための排気孔とをさらに含み、前記吸気孔と排気孔は、前記吸気孔から空気が前記透視部材の円弧形内側面に沿って流動して、前記透視部材の円弧形内側面に水分が凝結することを防止するため、前記調理室の両側壁にかつ前記ドアに隣接した位置に設けられることを特徴とする請求項２記載の電子レンジ。
【請求項５】
前記透視部材は、前記調理室の内部が効果的に透視できるように、前記透視部材の全面にわたって形成されることを特徴とする請求項２記載の電子レンジ。
【請求項６】
前記加熱部は調理物を調理するため高周波を発生するマグネトロンを含み、前記フレームは、前記開口部が前記ドアにより閉鎖されたとき、前記高周波が前記ドアを通じて前記調理室から漏洩することを防止する多数のチョーク溝を含むことを特徴とする請求項２記載の電子レンジ。
【請求項７】
前記フレームは前記調理室を遮らない大きさに形成され、前記透視部材が前記調理室とともに調理空間を形成することを特徴とする請求項２記載の電子レンジ。
【請求項８】
前記加熱部は調理物を調理するため高周波を発生するマグネトロンを含むことを特徴とする請求項１記載の電子レンジ。
【請求項９】
前記電子レンジは、前記調理室内に空気を受けるための吸気孔と、前記調理室から空気を電子レンジの外部へ排出するための排気孔とをさらに含み、前記吸気孔と排気孔は前記透視部材の両側に隣接した位置の調理室の両側壁に設けられ、前記透視部材は、前記吸気孔からの空気が前記透視部材の内側面に沿って流動して、前記透視部材の内側面に水分を凝結することを防止するため、屈曲形状を有することを特徴とする請求項１記載の電子レンジ。
【請求項１０】
前記フレームと前記上面板及び下面板は単一構造として一体的に形成され、前記透視部材の前記前面板に付着されることを特徴とする請求項２記載の電子レンジ。
【請求項１１】
前記前面板と前記上面板は、少なくとも前記レンジの前方、上方及び両側方から前記調理室の内部が透視できるようにすることを特徴とする請求項２記載の電子レンジ。
【請求項１２】
調理装置の外観をなすケーシングと、
調理物を調理するための加熱部と、
調理物を収容し、調理物から発生する水分及び匂いを排出させる空気循環構造とを含み、
前記空気循環構造は、調理物を収容するための開口部を有する調理室と、前記調理室内に空気を受けるために前記調理室の第１側壁に形成された吸気路と、前記調理室から空気を前記調理室の外部へ排出させるために前記調理室の第２側壁に形成された排気路と、前記開口部を選択的に開閉し、前記吸気路から空気が前記ドアの内側面に沿って流動して、内側面に調理物の水分が凝結することを防止するために非平面状になったドアとを含むことを特徴とする調理装置。
【請求項１３】
前記ドアは前記調理室の開口部に対応して形成され、前記ドアの一部は前方に突出して前記調理室の前方に内側空間を形成することで、前記内部空間と調理室の内部が多数の位置で透視できるようにすることを特徴とする請求項１２記載の調理装置。
【請求項１４】
前記吸気路と排気路は、前記吸気路からの空気が前記ドアの内側面に沿って容易に流動して前記排気路を通じて排出されるようにするため、前記ドアの両側に隣接した位置に設けられることを特徴とする請求項１２記載の調理装置。
【請求項１５】
前記ドアは、前記開口部と接触して閉鎖するドアの外側縁部を形成するように構成されるフレームと、前記調理室が多数の位置で透視できるようにするとともに前記吸気路から空気が内側面に沿って容易に流動できるようにするため、前記調理室から突出した屈曲形の半円筒形透視部材とを含むことを特徴とする請求項１２記載の調理装置。
【請求項１６】
前記ドアは、前記調理室の前方に前記透視部材により形成される内部空間の上部及び下部を覆う半円形の上面板及び下面板をさらに含むことを特徴とする請求項１５記載の調理装置。
【請求項１７】
前記上面板は、前記調理室がほかの位置で透視できるように、透視部を含むことを特徴とする請求項１６記載の調理装置。
【請求項１８】
調理物を収容する前記調理室は前記ドアにより形成される内部空間を含むことを特徴とする請求項１７記載の調理装置。
【請求項１９】
前記加熱部は、調理物を調理するため高周波を発生するマグネトロンを含むことを特徴とする請求項１２記載の調理装置。
【発明の詳細な説明】
【０００１】
【発明の属する技術分野】
本発明は電子レンジに関し、より詳しくはドアを外向に突出した半円筒形に構成して、電子レンジの外部の多数位置で調理室の内部が透視できるようにするとともに、調理室に流入した空気が曲面に沿って円滑に流動できるようにして、ドアの内面に水分が凝結することを防止する電子レンジに関するものである。
【０００２】
【従来の技術】
一般に、電子レンジは電装室に設置されたマグネトロンから発生される高周波を用いて、調理室内に置かれた調理物を調理するか暖める器具であって、高周波を調理室の内部に放射して、調理物に含有された水分の分子配列を反復的に変換させることで、飲食物の水分分子間の摩擦熱を起こして調理物を調理するようになっている。
【０００３】
図１は、ドア８が開放された状態の従来の電子レンジの斜視図である。同図に示すように、従来の電子レンジは、ハウジング１と、前記ハウジング１の内部に区画されて設けられた電装室２及び調理室３とを有する。電装室２には、高周波を発生させるためのマグネトロン４と、前記マグネトロン４を冷却させるとともに、調理室を通じて空気を循環させることで、調理物から発生する水分及び匂いを外部へ排出させるための送風ファン５とが設けられる。
【０００４】
調理室３は前面が開放された箱状に形成され、底面３ａが長方形をなし、底面３ａの先端部は調理室３の前面と同一平面をなす。前記底面３ａ上には、調理物が載せられ、マグネトロン４から放射される高周波により調理物が調理されるようにするターンテーブル６と、前記ターンテーブル６を回転可能に支持するための回転ガイド（図示せず）が設けられている。前記ターンテーブル６は調理室３の下部に配置されたモータ（図示せず）に結合され、低速で回転する。
【０００５】
また、開放された調理室３の前面には、ハウジング１の一側に回動可能に結合され、調理室３を開閉するドア８が設けられている。前記ドア８は長方形に形成され、中央部には調理室３の内部が透視できるように多数の透視孔が形成された透視部材９が結合されている。この透視部材９を含むドア８はその前面及び背面共に平面となり、ドア８が閉鎖された状態でドア８の背面が調理室３の前面に接触し、ドア８の前面は平面をなして調理室３を閉鎖する。
【０００６】
したがって、電子レンジが作動すると、マグネトロン４から発生する高周波が調理室３に放射されているうちにターンテーブル６が低速で回転するので、ターンテーブル６上に載せられた調理物が高周波により調理される。
【０００７】
しかし、このように構成された従来の電子レンジは六面体の形状をなし、その中央部に調理室の内部が透視できるように形成された透視部材９がドア８とともに平面をなす構造を有するため、調理の途中で、調理室３に収納された調理物の調理状態を確認するためには、使用者がドア８の前方から透視部材９の高さに合わせて、つまり使用者が上体を屈して調理室３の内部を覗き見なければならない欠点がある。
【０００８】
特に、従来の電子レンジのドア８及び透視部材９が平面状になるとともに、透視孔が形成された部分がドア８の全面積に比べて小さく形成されるため、調理室３の内部を覗き見るためには、透視部材に接近しなければならない。よって、使用者が調理室内で調理される調理物の調理状態を確認することが大変面倒であり、長時間がかかる。さらに、電子レンジによる調理とともにほかの仕事を並行することができず、電子レンジに注意を注ぎつづけなければならない欠点があるものである。
【０００９】
また、従来の電子レンジは、ドア８が平面状になり、調理室３の一側壁に形成された吸気孔（図示せず）を通じて調理室に流入した空気が平面状のドア８にぶつかる構造を有するため、調理のうちに調理物から発生する水分がドアの内面に凝結する現象を十分防止することができず、よって、使用者は平面状のドア８を通じて調理室３の内部を透視することがもっと難しくなる。
【００１０】
【発明が解決しようとする課題】
したがって、本発明は前述した従来技術の問題点を解決するためのもので、その目的は、調理室で調理される調理物の調理状態を電子レンジの外部の多数位置で容易で迅速に確認できるようにした電子レンジを提供することにある。
本発明のほかの目的は、ドアの内面に水分が凝結することを効果的に防止して、透視効果を一層向上させた電子レンジを提供することにある。
【００１１】
【課題を解決するための手段】
前記目的を達成するため、本発明は、調理物を調理するための加熱部と、開口部を有する調理室と、前記調理室の開口部を選択的に開閉するドアとを含み、前記ドアは、前記ドアの外側縁部を形成し、前記開口部の縁部と接触するように構成されるフレームと、前記調理室の内部が外部の多数位置で透視できるようにするため、前記調理室の開口部に対応して前記調理室の前方に内部空間を形成するように前方に突出した透視部材とを含む電子レンジを提供する。
【００１２】
前記透視部材は、前記調理室から突出した半円筒形の前面板と、前記調理室の前方に形成された内部空間の上部及び下部を覆う半円形の上面板及び下面板とを含み、前記上面板及び下面板は、前記調理室の内部が透視できるように多数の透視孔を含むことが好ましい。
前記電子レンジは、前記調理室の内部が前記透視部材を通して電子レンジの外部と連通することを防止するため、前記透視部材の前面に付着される透明板をさらに含むことが好ましい。
【００１３】
前記電子レンジは、前記調理室内に空気を受けるための吸気孔と、前記調理室から空気をレンジの外部へ排出させるための排気孔とをさらに含み、前記吸気孔と排気孔は、前記吸気孔から空気が前記透視部材の円弧形内側面に沿って流動して、前記透視部材の円弧形内側面に水分が凝結することを防止するため、前記調理室の両側壁にかつ前記ドアに隣接した位置に設けられることが好ましい。
前記透視部材は、前記調理室の内部が効果的に透視できるように、前記透視部材の全面にわたって形成されることが好ましい。
【００１４】
前記加熱部は調理物を調理するため高周波を発生するマグネトロンを含み、前記フレームは、前記開口部が前記ドアにより閉鎖されたとき、前記高周波が前記ドアを通じて前記調理室から漏洩することを防止する多数のチョーク溝を含むことが好ましい。
【００１５】
前記フレームは前記調理室を遮らない大きさに形成され、前記透視部材が前記調理室とともに調理空間を形成することが好ましい。
前記加熱部は調理物を調理するため高周波を発生するマグネトロンを含むことが好ましい。
【００１６】
前記電子レンジは、前記調理室内に空気を受けるための吸気孔と、前記調理室から空気を電子レンジの外部へ排出するための排気孔とをさらに含み、前記吸気孔と排気孔は前記透視部材の両側に隣接した位置の調理室の両側壁に設けられ、前記透視部材は、前記吸気孔からの空気が前記透視部材の内側面に沿って流動して、前記透視部材の内側面に水分を凝結することを防止するため、屈曲形状を有することが好ましい。
【００１７】
前記フレームと前記上面板及び下面板は単一構造として一体的に形成され、前記透視部材の前記前面板に付着されることが好ましい。
前記前面板と前記上面板は、少なくとも前記電子レンジの前方、上方及び両側方から前記調理室の内部が透視できるようにすることが好ましい。
【００１８】
また、本発明は、調理装置の外観をなすケーシングと、調理物を調理するための加熱部と、調理物を収容し、調理物から発生する水分及び匂いを排出させる空気循環構造とを含み、前記空気循環構造は、調理物を収容するための開口部を有する調理室と、前記調理室内に空気を受けるため前記調理室の第１側壁に形成された吸気路と、前記調理室から空気を前記調理室の外部へ排出させるため前記調理室の第２側壁に形成された排気路と、前記開口部を選択的に開閉し、前記吸気路から空気が前記ドアの内側面に沿って流動して、内側面に調理物の水分が凝結することを防止するため非平面状になったドアとを含む調理装置を提供する。
【００１９】
前記ドアは前記調理室の開口部に対応して形成され、前記ドアの一部は前方に突出して前記調理室の前方に内側空間を形成することで、前記内部空間と調理室の内部が多数の位置で透視できるようにすることが好ましい。
前記吸気路と排気路は、前記吸気路からの空気が前記ドアの内側面に沿って容易に流動して前記排気路を通じて排出されるようにするため、前記ドアの両側に隣接した位置に設けられることが好ましい。
【００２０】
前記ドアは、前記開口部と接触して閉鎖するドアの外側縁部を形成するように構成されるフレームと、前記調理室が多数の位置で透視できるようにするとともに前記吸気路から空気が内側面に沿って容易に流動できるようにするため、前記調理室から突出した屈曲形の半円筒形透視部材とを含むことが好ましい。
前記ドアは、前記調理室の前方に前記透視部材により形成される内部空間の上部及び下部を覆う半円形の上面板及び下面板をさらに含むことが好ましい。
前記上面板は、前記調理室がほかの位置で透視できるように、透視部を含むことが好ましい。
【００２１】
調理物を収容する前記調理室は前記ドアにより形成される内部空間を含むことが好ましい。
前記加熱部は、調理物を調理するため高周波を発生するマグネトロンを含むことが好ましい。
【００２２】
【発明の実施の形態】
以下、添付図面に基づいて本発明の好ましい実施例を詳細に説明する。
図２及び図３は本発明の一実施例による電子レンジの斜視図であり、図２ではドア３０が開放され、図３では閉鎖されている。
同図に示すように、本発明による電子レンジは、高周波を発生させるためのいろいろの電気部品が設けられる電装室１０と、調理物を調理するための空間を有し、前面が開放されている調理室２０と、調理室２０の開放前面を開閉するためのドア３０とを備える。
【００２３】
前記電装室１０には、調理室２０に高周波を放射するマグネトロン１１と、前記マグネトロン１１を冷却させるとともに、調理室２０内の調理物から発生する水分及び匂いを電子レンジの外部へ排出させるための送風ファン１２とが設けられる。
調理室２０は上壁２１、底面板２２、左右側壁２３、２４、及び後壁（図示せず）からなり、その前面に開口部２５が設けられるので、前面が開放される。調理室２０の前面には、前記開口部２５を開閉するため、本発明によるドア３０が回動可能に結合される。前記調理室２０の開口部２５の縁部には、ドア３０が閉じたとき、ドア３０の縁部と接触して前記開口部２５を密閉するため、平面の四角帯面２６が設けられる。
【００２４】
また、調理室２０の底面板２２上には、調理物が載せられて調理されるようにするターンテーブル２７と、前記ターンテーブル２７を回転可能に支持するための回転支持部（図示せず）とが設けられている。このターンテーブル２７は前記底面板２２の下部に設置されるモータ（図示せず）の駆動により低速で回転しながら、その上に載せられた調理物に高周波が均等に伝達されるようにして調理物を調理することになる。
【００２５】
本発明によるドア３０は、調理室２０の開口部２５を形成する四角帯面２６に密着して高周波の漏洩を防止するため、長方形の縁部をなすフレーム３１と、調理室２０の内部を透視して調理状態を確認し得るように、前記フレーム３１の開口部に配置される透視部材３２とを含む。
フレーム３１には、その縁部の内側面に沿って多数のチョーク溝３１ａが一定の間隔で形成されているので、フレーム３１が調理室２０の前面の四角帯面２６と接触すると、前記チョーク溝３１ａにより調理室２０からの高周波の漏洩が防止される。
【００２６】
透視部材３２は、前記フレーム３１の両側から前方に、つまり調理室２０の前面の外側に曲面をなしながら突出した前面板３３と、前記前面板３３の上部を覆う略半円形の上面板３４と、前記前面板３３の下部を覆う略半円形の下面板３５とからなるもので、全体として前方に略半円筒形に突出した形状を有する。
一方、半円筒形をなすように前方に突出した構造を有するドア３０の透視部材３２が調理室２０とともに調理空間３７を形成するため、調理室２０の底面板２２の先端部２２ａも略半円形に形成され調理室の前方に突出した構造を有する。したがって、ドア３０が調理室２０を閉鎖した状態で、底面板２２の先端部２２ａは透視部材３２の下面板３５上に配置され、半円筒形の透視部材３２の内部が調理空間３７を構成することになる。
【００２７】
透視部材３２の前面板３３と上面板３４には、調理室２０が透視できるように一定大きさの透視孔が稠密に配列されているので、前記透視部材３２の前面板３３と上面板３４を通して調理室２０の内部を覗き見ることができるようになっている。すなわち、本発明による電子レンジは、調理室２０の前方だけでなく上方及び両方から調理室２０を透視することができるので、使用者は電子レンジの付近でほかの仕事をしながらも調理室２０に収納された調理物の調理状態を確認することができる。
【００２８】
一方、透視孔が形成されている透視部材３２の外面には、透明材質で作られた透明窓（図示せず）を付着することで、透視孔を通して調理室の内部が調理室の外部と連通しないようにするとともに、透視部材３２を通して調理室２０の内部を覗き見ることができるようになっている。
ところが、一般に、電子レンジは調理空間内に使用者の眼高に又はそれより低い位置に配置されるため、本実施例では、透視部材３２の下面板３５には透視のための透視孔が形成されていないものにしたが、調理室２０の内部が覗き見られるように、電子レンジの設置高によって下面板３５にも透視孔が形成されたものにすることができる。
【００２９】
図２及び図３に示すように、電子レンジのドア３０の透視部材３２が前方に突出した半円筒形を有するので、調理時に調理物から発生する水分が透視部材３２の内面に凝結する現象を効果的に防止することができる。
【００３０】
図４は電装室１０に流入した外部空気が調理室２０を通過して調理室２０の内部を流動して調理室から排出されるものを示す、電子レンジの斜視図である。
同図に示すように、送風ファン１２により外部空気を電装室１０の内部に吸入し調理室２０を経て調理室２０の外部へ排出させるため、電装室１０の後壁には多数の流入孔１３が設けられ、調理室２０の右側壁２４と左側壁２３には、それぞれ吸気孔１４と排気孔１５が設けられている。
【００３１】
電装室１０の後壁に設けられた流入孔１３の前方には送風ファン１２が配置され、外部空気を吸入し、調理室２０の右側壁２４に形成された吸気孔１４は調理室２０の前面に隣接して配置され、空気がドア３０の透視部材３２側に案内されて円滑に流動できるようにする。また、調理室２０の左側壁２３に形成された排気孔１５は、右側壁２４に形成された吸気孔１４と同様に、調理室２０の前面に隣接して配置され、透視部材３２を経た空気が調理室２０の外部へ円滑に排出されるようにする。マグネトロン１１は流入孔１３と吸気孔１４との間に配置され、マグネトロン１１と吸気孔１４との間には空気案内ダクト１６が配置されるので、マグネトロン１１を通過した空気が空気案内ダクト１６を通して吸気孔１４に案内され調理室２０の内部に流入される。
【００３２】
前記のような本発明による電子レンジの空気循環構造により、吸気孔１４を通じて調理室２０に流入された空気は曲面状の透視部材３２の内面に沿って円滑に流動する。したがって、調理物から発生する水分が、透視部材３２の前面板３３と上面板３４に沿って迅速に流動する空気とともに排気孔１５を通じて外部へ排出されるので、透視部材３２の内側面に水分が凝結する現象を効果的に防止することができる。よって、調理室２０に収納された調理物を透視部材３２を通じてより明らかに透視することができる。
【００３３】
【発明の効果】
以上説明したように、本発明による電子レンジは、ドアの透視部材の前面板が曲面状に前方に突出し、透視部材の上面板と下面板が前記曲面状の前面を覆うように略半円筒形に形成されるため、調理室の外部の多数位置及び角度で調理室の内部を透視することができ、よって、調理室内で調理される調理物の調理状態を電子レンジの外部の多数位置で迅速に確認することができる効果がある。
【００３４】
特に、本発明による電子レンジは、調理室の内部に収納されて調理される調理物を多数位置で確認することができるので、ほかの仕事をしながらも調理室の内部が透視できるので、従来の電子レンジのように調理室の前面近くにきて調理物の調理状態を確認しなくてもよい有利な効果があるものである。
【００３５】
また、本発明による電子レンジは、ドアが曲面状に形成され、吸気孔と排気孔が調理室の両側面に、ドアに隣接して配置されるので、調理室に流入した空気がドアの透視部材の内側面に沿って円滑に流動することにより、透視部材の内側面に水分が凝結する現象を効果的に防止することができ、よってドアの透視部材を通して調理室の内部を鮮明に透視することができる。
【図面の簡単な説明】
【図１】ドアが調理室を開放した状態を示す、従来の電子レンジの斜視図である。
【図２】ドアが調理室を開放した状態を示す、本発明による電子レンジの斜視図である。
【図３】ドアが調理室を閉鎖した状態を示す、図２に示す電子レンジの斜視図である。
【図４】電装室に流入され調理室を通過して排出される外部空気の流れを示す、図３の電子レンジの斜視図である。
【符号の説明】
１４　吸気孔
１５　排気孔
２０　調理室
２２　底面板
３０　ドア
３１　フレーム
３２　透視部材
３３　前面板
３４　上面板
３５　下面板
【図１】
2004077109.tif 000003
【図２】
2004077109.tif 000004
【図３】
2004077109.tif 000005
【図４】
2004077109.tif 000006